(57)【要約】【課題】  小型かつ低コストの構造で以って、低周波音から高周波音まで広範囲の周波数域の音に対して高い吸音効果を有する吸音構造体をそなえて、殊に無響水槽（吸音水槽）に好適な水中吸音装置を提供する。【解決手段】  音を吸収する吸音構造体を水中に臨んで設け、該吸音構造体により前記水中を伝播される音を吸収するように構成された水中吸音装置において、前記吸音構造体は、吸収周波数範囲が異なる多孔質材料からなる複数層の吸音材をコンクリート等の硬質材料からなる支持体の内側に支持されてなり、前記水中を伝播される音を前記複数層の吸音材のうちの前記水中に臨む内層材の内面から入射して他の吸音材内を通過せしめることにより吸音するように構成されてなることを特徴とする。【選択図】    図１
2006017787.tif 000002
【特許請求の範囲】
【請求項１】
音を吸収する吸音構造体を水中に臨んで設け、該吸音構造体により前記水中を伝播される音を吸収するように構成された水中吸音装置において、前記吸音構造体は、吸収周波数範囲が異なる多孔質材料からなる複数層の吸音材をコンクリート等の硬質材料からなる支持体の内側に支持されてなり、前記水中を伝播される音を前記複数層の吸音材のうちの前記水中に臨む内層材の内面から入射して他の吸音材内を通過せしめることにより吸音するように構成されたことを特徴とする水中吸音装置。
【請求項２】
前記複数層の吸音材を表面を互いに接触させて積層し、外側に配置された吸音材の表面と前記支持体の内面との間に水、空気等の流体が収容される空間層を形成してなることを特徴とする請求項１記載の水中吸音装置。
【請求項３】
前記複数層の吸音材を表面を互いに接触させて積層し、外側に配置された吸音材の表面を前記支持体に接触させて固定してなることを特徴とする請求項１記載の水中吸音装置。
【請求項４】
音を吸収する吸音構造体を水中に臨んで設け、該吸音構造体により前記水中を伝播される音を吸収するように構成された水中吸音装置において、前記吸音構造体は、多孔質材料からなり前記水中に臨む内面が複数の楔状の歯が連設された楔状凹凸面に形成されてなる吸音材を備えて、該吸音材をコンクリート等の硬質材料からなる支持体の内側に支持してなり、前記水中を伝播される音を前記楔状凹凸面から前記吸音材に入射して該吸音材内を通過せしめることにより吸音するように構成されてなることを特徴とする水中吸音装置。
【請求項５】
前記楔状凹凸面を有する吸音材の外面を前記支持体の内面に固着してなることを特徴とする請求項４記載の水中吸音装置。
【請求項６】
前記楔状凹凸面を有する吸音材と前記支持体との間に水、空気等の流体が収容される空間層を形成してなることを特徴とする請求項４記載の水中吸音装置。
【請求項７】
前記楔状凹凸面を有する吸音材と前記支持体との間に、板状に形成され前記楔状凹凸面を有する吸音材とは吸収周波数範囲が異なる多孔質材料からなる他の吸音材を１層または複数層設けてなることを特徴とする請求項４記載の水中吸音装置。
【請求項８】
前記楔状凹凸面を有する吸音材及び前記他の吸音材及び前記支持体の内面を互いに固着してなることを特徴とする請求項７記載の水中吸音装置。
【請求項９】
前記楔状凹凸面を有する吸音材と前記他の吸音材との間、前記他の吸音材同士の間、及び前記他の吸音材と前記支持体との間の、少なくとも１箇所に、水、空気等の流体が収容される空間層を形成してなることを特徴とする請求項７記載の水中吸音装置。
【請求項１０】
音を吸収する吸音構造体を水中に臨んで設け、該吸音構造体により前記水中を伝播される音を吸収するように構成された水中吸音装置において、前記吸音構造体は、多孔質材料からなる板状の吸音材をコンクリート等の硬質材料からなる支持体の内側に、水、空気等の流体が収容される空間層を介して設けられてなり、前記空間層は前記吸音材の表面に直角な方向の長さを変化させて形成されたことを特徴とする水中吸音装置。
【発明の詳細な説明】
【技術分野】
【０００１】
本発明は、音響が問題になる船舶や海洋構造物等の水中音響試験用の無響水槽（吸音水槽）や、水中に設置する吸音壁に適用され、音を吸収する吸音構造体を水中に臨んで設け、該吸音構造体により水中を伝播される音を吸収するように構成された水中吸音装置に関する。
【背景技術】
【０００２】
無響水槽（吸音水槽）は、吸音率が十分に高い吸音構造体で各内面部を構成し、該吸音構造体により形成された内部空間で測定空間内と測定周波数範囲で自由音場を形成できるもので、水中における種々の吸音実験に用いられている。
図１５ないし図１６は、かかる無響水槽における吸音構造体の２つの例を示す要部縦断面図である。
【０００３】
図１５に示される吸音構造体は、非特許文献１にて提供されているもので、図において、１０は木材からなる吸音構造体である。５１は該吸音構造体１０の内層材で、無響水槽の水室１０１に臨む内面５１ａを複数の楔状の歯５１ｃと溝５１ｄとが交互に連設された楔状凹凸面に形成し、該内層材５１の外面５１ｂをコンクリート製の支持体１の内面に固着している。
図１６に示される吸音構造体１０は、ゴム材を単層あるいは複数層積層してなる内層材６１の水室１０１に臨む内面６１ａを平面（あるいは図１５のような楔状凹凸面）に形成し、前記内層材６１の外面６１ｂをコンクリート製の支持体１の内面に固着している。
【０００４】
また、特許文献２には、水中に臨む複数の吸音シートの一面に溝を設け、この溝から各吸音シートの隙間に水を浸透させ、吸音シート間の隙間で生じる音の反射を低減させるようにして、前記吸音シートの隙間に積極的に水または固有音響インピーダンスが水に近い物質を導入する構造として、楔型吸音構造体と同程度の吸音性能を約半分の大きさの装置で実現可能とした水中吸音装置が開示されている。
【０００５】
【非特許文献１】日本造船学会誌  第７３７号  （第２９頁ないし第３４頁）
【特許文献２】特開２０００−１４６７５０号公報
【発明の開示】
【発明が解決しようとする課題】
【０００６】
しかしながら、かかる従来技術は次のような問題点を有している。
即ち、図１５に示される吸音構造体にあっては、木材からなる内層材５１の水室１０１に臨む内面５１ａを楔状凹凸面とした構造であるため、周波数は１ＫＨｚ程度以上の高周波音に対しては該内層材５１の厚さをさほど大きくしなくても所要の吸音効果が得られるが、２００Ｈｚ程度の低周波音に対しては所要の吸音効果を得るには該内層材５１の厚さを大幅に増大する必要があり（２００Ｈｚの低周波音についた所要の吸音効果を得るにはを７．５ｍの厚さが必要）、吸音構造体１０が大型化し、無響水槽としては構造上成り立たなくなる。
【０００７】
図１６に示される吸音構造体１０にあっては、広範囲の周波域の音に対して比較的高い吸音効果を有するが、吸音構造体１０にゴム材を用いているため該吸音構造体が高価となり、水中吸音装置の装置コストが高くなる。
また、特許文献２に開示されている水中吸音装置は、複数の吸音シートの隙間に溝を設けて吸音シート間の隙間で生じる音の反射を低減するにとどまり、該特許文献２には広範囲の周波域の吸音についての手段は示唆されていない。
【０００８】
本発明はかかる従来技術の課題に鑑み、小型かつ低コストの構造で以って、低周波音から高周波音まで広範囲の周波数域の音に対して高い吸音効果を有する吸音構造体をそなえて、殊に無響水槽（吸音水槽）に好適な水中吸音装置を提供することを目的とする。
【課題を解決するための手段】
【０００９】
本発明はかかる目的を達成するもので、音を吸収する吸音構造体を水中に臨んで設け、該吸音構造体により前記水中を伝播される音を吸収するように構成された水中吸音装置において、前記吸音構造体は、吸収周波数範囲が異なる多孔質材料からなる複数層の吸音材をコンクリート等の硬質材料からなる支持体の内側に支持されてなり、前記水中を伝播される音を前記複数層の吸音材のうちの前記水中に臨む内層材の内面から入射して他の吸音材内を通過せしめることにより吸音するように構成されてなることを特徴とする。
かかる発明において好ましくは、前記吸音構造体は、前記複数層の吸音材を表面を互いに接触させて積層し、外側に配置された吸音材の表面を前記支持体に接触させて固定してなる。
【００１０】
かかる発明によれば、水中を伝播される音を、吸音構造体における吸収周波数範囲が異なる複数層の多孔質材料吸音材のうちの水中に臨む内層材を通過する際に、例えば高周波数の音を吸収し、次いでこの音が例えば該内層材よりも吸収周波数範囲が低い多孔質材料の外側吸音材内を通過する際に低周波数の音を吸収する。
これにより、多孔質材料からなる内層材で高周波数の音を吸収した後に、多孔質材料の外側吸音材内で低周波数の音を吸収することができて、吸収周波数範囲が異なる多孔質材料からなる吸音材を複数層設けて水中から伝播される音を通過させるという、小型で簡単な構造をそなえ、かつ低コストの装置で以って、低周波数音から高周波数音までの広い周波数範囲の音を確実に吸収し得る吸音構造体を提供できる。
【００１１】
また、かかる発明において好ましくは、前記吸音構造体は、前記複数層の吸音材を表面を互いに接触させて積層し、外側に配置された吸音材の表面と前記支持体の内面との間に水、空気等の流体が収容される空間層を形成してなる。
ここで、多孔質材料からなる吸音材の背後に空間層を形成することで、低周波数領域の吸音率が上昇する原理は次のとおりである。
即ち、多孔質材料での吸音は、音波伝搬時に生じる粒子速度により多孔質部分で摩擦が生じ、音が熱に変化することでなされる。従って、粒子速度が最大になる位置に多孔質材料を設置することで効果的に吸音される。前記粒子速度が最大となるのは、壁面から1/4波長の位置である。かかる距離が遠ざかるほど、前記1/4波長に対応する周波数は低くなるため、該空間層を形成することにより、低周波数領域での吸音効果が上昇する。
従って前記原理によって、水中を伝播される音が複数層の吸音材を積層した吸音構造体を通過する際に各層の吸音材で吸収した周波数の音よりも低周波数領域での吸音効果を、前記水、空気等の流体が収容される空間層を形成することにより向上できる。
これにより、前記複数層の吸音材で中、高周波数の音を吸収し、前記空間層の形成によって低周波数領域の吸音率を向上することにより、低周波数から高周波数まで吸収周波数範囲を拡大できる。
【００１２】
また本発明は、音を吸収する吸音構造体を水中に臨んで設け、該吸音構造体により前記水中を伝播される音を吸収するように構成された水中吸音装置において、前記吸音構造体は、多孔質材料からなり前記水中に臨む内面が複数の楔状の歯が連設された楔状凹凸面に形成されてなる吸音材を備え、該吸音材をコンクリート等の硬質材料からなる支持体の内側に支持してなり、前記水中を伝播される音を前記楔状凹凸面から前記吸音材に入射して該吸音材内を通過せしめることにより吸音するように構成されてなることを特徴とする。
【００１３】
そして、かかる発明において、具体的には前記吸音構造体を次のように構成するのがよい。
（１）前記楔状凹凸面を有する吸音材の外面を前記支持体の内面に固着する。
（２）前記楔状凹凸面を有する吸音材と前記支持体との間に、板状に形成され前記楔状凹凸面を有する吸音材とは吸収周波数範囲が異なる多孔質材料からなる他の吸音材を１層または複数層設け、楔状凹凸面を有する吸音材及び前記他の吸音材及び前記支持体の内面を互いに固着する。
（３）前記楔状凹凸面を有する吸音材と前記支持体との間、あるいは前記楔状凹凸面を有する吸音材と多孔質材料からなる他の吸音材との間、あるいは前記他の吸音材同士の間、及び前記他の吸音材と前記支持体との間の少なくとも１箇所に、水、空気等の流体が収容される空間層を形成する。
【００１４】
かかる発明によれば、水中を伝播される音が前記多孔質材料吸音材の楔状凹凸面を通過する際に該楔状凹凸面により高周波数の音を吸収でき、次いでこの音が多孔質の吸音材内部を通過する際にこれよりも低周波数の音を吸収することができることとなり、従って前記楔状凹凸面を有する吸音材により、低周波数と高周波数の２段階の周波数の吸音が可能となる。
また前記構成（２）のように、前記楔状凹凸面を有する吸音材と、これとは吸収周波数範囲が異なる多孔質材料からなる他の吸音材とを積層して形成すれば、前記楔状凹凸面を有する吸音材により比較的高周波数の２段階の周波数の音を吸収したうえに、前記他の吸音材により前記２段階の周波数とは異なる低周波数の音を吸収することができて、３段階の広範囲の周波数の音を吸収できる。
【００１５】
さらに前記構成（３）のように、各吸音材の間に、水、空気等の流体が収容される空間層を形成すれば、前記のような３段階の周波数の音を吸収できるのに加えて、該空間層の形成によって吸音帯域が低周波数帯域まで拡大され、従って前記楔状凹凸面、これを有する吸音材の内部、前記他の吸音材の内部、及び前記空間層内において、４段階の周波数の音を吸収できる。
【００１６】
また本発明は、音を吸収する吸音構造体を水中に臨んで設け、該吸音構造体により前記水中を伝播される音を吸収するように構成された水中吸音装置において、前記吸音構造体は、多孔質材料からなる板状の吸音材をコンクリート等の硬質材料からなる支持体の内側に、水、空気等の流体が収容される空間層を介して設けられてなり、前記空間層は前記吸音材の表面に直角な方向の長さを変化させて形成されたことを特徴とする。
【００１７】
かかる発明によれば、前記多孔質材料からなる板状の吸音材と硬質材料からなる支持体との間に形成される空間層の長さを変化させることにより、該空間層を通過する音の吸収周波数（低周波数）を空間層の長さに対応した周波数となり、その結果、吸収周波数域を均一にすることができ、殊に低周波数域で吸収周波数の範囲を均一にかつ広げることが可能となる。
【発明の効果】
【００１８】
本発明によれば、吸音構造体の多孔質材料からなる内層材で高周波数の音を吸収した後に、多孔質材料の外側吸音材内で低周波数の音を吸収することができて、吸収周波数範囲が異なる多孔質材料からなる吸音材を複数層設けて水中から伝播される音を通過させるという、小型で簡単な構造をそなえ、かつ低コストの装置で以って、低周波数音から高周波数音までの広い周波数範囲の音を確実に吸収し得る吸音構造体を提供できる。
【００１９】
また、前記吸音構造体の多孔質材料の吸音材を楔状凹凸面を有する吸音材とすることにより、比較的高周波数の２段階の周波数の音を吸収でき、あるいは多孔質材料の吸音材と水、空気等の流体が収容される空間層とを組み合わせることにより低周波数から高周波数まで広範囲の周波数の音を吸収できる。
さらに、多孔質材料からなる板状の吸音材と支持体との間に形成される空間層の長さを変化させることにより、該空間層を通過する音の吸収周波数を空間層の長さに対応した周波数とすることが可能となり、その結果、吸収周波数域を均一にすることができ、殊に低周波数域で吸収周波数の範囲を均一にかつ広げることが可能となる。
【発明を実施するための最良の形態】
【００２０】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【実施例１】
【００２１】
図９は本発明の第１実施例に係る吸音構造体を備えた無響水槽（吸音水槽）の要部断面図であり、図において１００は上面が開放された筐体からなる無響水槽で、内部は水が収容された水室１０１となっている。１は該無響水槽１００の外殻を構成する支持体で、コンクリート、レンガ等の硬質材料からなる。
１０はその内面を前記水室１０１に臨んで設けられた吸音構造体（詳細は後述）で、前記支持体１の内側に複数の支持部材２を介して支持され、前記水室１０１に臨む内層材１１及び外層材１２を積層して形成されている。１３は該外層材１２の外面と前記支持体１の内面との間に形成された空間層である。
【００２２】
図１は本発明の第１実施例に係る吸音構造体の要部断面図であり、図において、１０は吸音構造体で、内面１１ａが前記水室１０１に臨む内層材１１、該内層材１１の外側に配置された外層材１２、該外層材１２の外面１２ａと前記支持体１の内面との間に形成された空間層１３等からなる。該空間層１３には水が収容されている（シリコン等の音響的特性が水に近いものでもよい）。
前記内層材１１と外層材１２とは、該内層材１１の外面１１ｂと外層材１２の内面１２ｂとは互いに接触させて（固着してもよい）設置されている。該吸音構造体１０は、前記支持体１の内側に複数の支持部材２を介して支持されている。
【００２３】
前記内層材１１と外層材１２とは、吸収周波数範囲が異なる多孔質材料で構成され、この実施例においては、前記内層材１１は吸収周波数ｆが図１０（Ａ）Ｓ１線で示されるような高周波数域で吸音率αが高くなるような材料で構成され、発泡アルミニウム材を板状に形成したもの、細径の線材を固めて板状に形成したもの等が好適である。
また、前記外層材１２は吸収周波数ｆが図１０（Ａ）のＳ２線で示されるような低周波数域で吸音率αが高くなるような材料で構成され、低周波数域で高い吸音率αを示すセラミック材が好適である。
尚、この実施例とは逆に、前記内層材１１にセラミック材等の低周波数域で吸音率αが高くなる材料を用い、外層材１２に発泡アルミニウム材等の高周波数域で吸音率αが高くなるような材料を用いることも可能である。
【００２４】
かかる第１実施例において、水室１０１内の水中に伝播された音は、吸収周波数ｆが図１０（Ａ）Ｓ１線で示されるような高周波数域で吸音率αが高くなるような材料で構成された前記内層材１１内を通過する際に高周波数音が吸収され、次いで吸収周波数ｆが図１０（Ａ）のＳ２線で示されるような低周波数域で吸音率αが高くなるような材料で構成された前記外層材１２を通過する際に低周波数音が吸収される。
さらに、前記内層材１１及び外層材１２で、前記のように高周波数音及び低周波数音が吸収された音は、水が収容された前記空間層１３の形成によって、図１０のＳ３線で示されるように前記内層材１１及び外層材１２よりもさらに低周波数域で吸音率αが高くなる該空間層１３において、低周波数音の吸収効果がさらに向上する。
以上により、図１０（Ｂ）のＳ４線で示すような、かかる内層材１１、外層材１２、及び空間層１３での３段階の吸音作用によって、前記音のレベルは低い音圧レベルまで低下せしめられる。
【００２５】
従って、かかる実施例によれば、水中を伝播される音を、吸音構造体１０における吸収周波数範囲が異なる複数層の多孔質材料吸音材のうちの水室１０１に臨む内層材１１を通過する際に高周波数音を吸収し、次いでこの音が該内層材１１よりも吸収周波数範囲が低い多孔質材料の外層材１２内を通過する際に低周波数の音を吸収し、空間層１３の形成によって吸音帯域が低周波数帯域まで拡大される。
これにより、吸収周波数範囲が異なる多孔質材料からなる内層材１１及び外層材１２（吸音材）を複数層設けて中、高周波数の音を吸収し、外層材１２と支持体１との間に空間層１３を形成して低周波数音まで吸音帯域を拡大するという、小型で簡単な構造をそなえ、かつ低コストの装置で以って、低周波数音から高周波数音までの広い周波数範囲の音を確実に吸収し得る吸音構造体１０が得られる。
【００２６】
また、かかる第１実施例において、前記内層材１１及び外層材１２の材料として、発泡コンクリート材、レンガ材、ポーラス状プラスチックを、前記発泡金属、細径の線材を固めて板状に形成した材料、セラミック材等と組み合わせて用いることもできる。
さらに、前記１層の内層材１１に対して、該内層材１１とは吸収周波数ｆが異なる２層以上の外層材１２を積層して用いることもできる。
【実施例２】
【００２７】
図２は本発明の第２実施例を示す図１対応図である。
この実施例においては、前記第１実施例（図１）から空間層１３を除去し、前記外層材１２の外面１２ａを前記支持体１の内面に直接固着している。この場合は前記第１実施例
における空間層１３による低周波音の吸音効果はないが、外層材１２の外面１２ａを前記支持体１の内面に直接固着しており前記空間層１３のスペースが不要となるので、吸音構造体１０が小型で簡単化される。
その他の構成は前記第１実施例と同様であり、これと同一の部材は同一の符号で示す。
【実施例３】
【００２８】
図３は本発明の第３実施例を示す図１対応図である。
この実施例においては、吸音構造体１０を次のように構成している。
即ち、図３において、１１は吸音構造体１０の前記第１実施例と同様な多孔質材料からなる内層材であり、前記水室１０１の水中に臨む内面１１ａを、複数の楔状の歯１１ｃと溝１１ｄが交互に連設された楔状凹凸面に形成している。また、該内層材１１の外面１１ｂは前記支持体１の内面に接触あるいは固着されている。
【００２９】
かかる第３実施例において、前記内層材１１の内部の吸収周波数ｆは、図１１のＳ１２線で示されるように低周波数域で吸音率αが高くなっている。一方、前記内層材１１の内面１１ａを形成する楔状凹凸面においては、図１１のＳ１１線で示されるように前記内層材１１の内部よりも高い周波数域で吸音率αが高くなる。
従って、かかる第３実施例によれば、水中を伝播される音を、内層材１１の内面１１ａを形成する楔状凹凸面を通過する際に高周波数音を吸収し、次いでこの音が該楔状凹凸面（１１ａ）よりも吸収周波数範囲が低い内層材１１の内部を通過する際に低周波数音を吸収することが可能となり、前記楔状凹凸面からなる内面１１ａを有する内層材１１を設置することにより、図１２のＳ１４線で示されるように高周波数と低周波数の２段階の周波数の吸音が可能となる。
【実施例４】
【００３０】
図４は本発明の第４実施例を示す図１対応図である。
この実施例においては、前記第３実施例に加えて、前記楔状凹凸面からなる内面１１ａを有する内層材１１と前記支持体１との間に、板状に形成され前記楔状凹凸面を有する内層材１１よりも吸収周波数ｆが低い多孔質材料の外層材１２を設け、該外層材１２の内面１２ａと内層材１１の外面１１ｂとを固着するとともに、該外層材１２の外面１２ａと前記支持体１の内面とを互いに固着している。
【００３１】
かかる第４実施例によれば、前記楔状凹凸面を有する内層材１１と前記支持体１との間に、該内層材１１よりも吸収周波数ｆが低い多孔質材料の外層材１２を設けたので、図１３（Ｂ）のＳ２１線で示されるように、楔状凹凸面からなる内面１１ａを通過する際に高周波数音（Ｓ２）を吸音し、次いで内層材１１内を通過する際にこれよりも低周波数音（Ｓ１（図１３（Ａ）参照））を吸音することにより２段階の周波数の吸音をなし、さらに図１３（Ｃ）のＳ３線のような低周波数音の吸音特性を有する外層材１２を通過することにより、図１３（Ｄ）のＳ０線のように、３段階の周波数の音を吸収できる。
その他の構成は前記第３実施例と同様であり、これと同一の部材は同一の符号で示す。
【実施例５】
【００３２】
図５は本発明の第５実施例を示す図１対応図である。
この実施例においては、前記第３実施例（図３）に加えて、前記楔状凹凸面からなる内面１１ａを有する内層材１１と前記支持体１との間に、水が収容された空間層１３を形成している。
かかる第５実施例によれば、楔状凹凸面からなる内面１１ａを通過する際に高周波数音を吸音し、次いで内層材１１内を通過する際にこれよりも低周波数音を吸音することにより２段階の周波数の吸音をなし、水が収容された空間層１３においてさらに低周波数域に吸音域が拡大することにより、３段階の周波数の音を吸収できる。
その他の構成は前記第３実施例と同様であり、これと同一の部材は同一の符号で示す。
【実施例６】
【００３３】
図６は本発明の第６実施例を示す図１対応図である。
この実施例においては、前記第４実施例（図４）に加えて、前記楔状凹凸面からなる内面１１ａを有する内層材１１の外側に固着された外層材１２と前記支持体１との間に、水が収容された空間層１３を形成している。
かかる第６実施例によれば、内層材１１の楔状凹凸面からなる内面１１ａを通過する際に高周波数音を吸音し、次いで内層材１１内を通過する際にこれよりも低周波数音を吸音し、さらに前記内層材１１よりも低周波数音の吸音特性を有する外層材１２を通過することにより、３段階の周波数の音を吸収できる。
その他の構成は前記第４実施例と同様であり、これと同一の部材は同一の符号で示す。
【実施例７】
【００３４】
図７は本発明の第７実施例を示す図１対応図である。
この実施例においては、前記第５実施例（図５）に加えて、水が収容された（空気でもよい）空間層１３内に、前記内層材１１よりも吸収周波数ｆが低い多孔質材料の外層材１２を設けて、該外層材１２により２つの空間層１３、１３に区画している。
かかる第７実施例によれば、内層材１１の楔状凹凸面からなる内面１１ａを通過する際に高周波数音を吸音し、次いで該内層材１１内を通過する際にこれよりも低周波数音を吸音する。さらに、前記内層材１１よりも低周波数音の吸音特性を有する外層材１２を通過する前及び後に、水が収容された空間層１３を通すことにより、２段階で低周波数音の吸音をなすことができる。
これにより、前記楔状凹凸面からなる内面１１ａ、内層材１１内、内側の空間層１３内、外層材１２内、外側の空間層１３内の５段階の周波数の音を吸収できる。
尚、前記外層材１２を２個以上設けて、各外層材１２により複数の空間層１３に区画するように構成してもよい。
その他の構成は前記第５実施例と同様であり、これと同一の部材は同一の符号で示す。
【実施例８】
【００３５】
図８は本発明の第８実施例を示す図１対応図である。
この実施例においては、前記第１実施例と同様な、吸収周波数ｆが高周波数域で吸音率αが高くなるような材料で構成された内層材１１と前記支持体１との間に水が収容された空間層１３を形成し、該空間層１３の前記内層材１１の表面に直角な方向の長さ、つまり内層材１１の外面１１ｂと前記支持体１の内面１ａ、１ｂとの長さをＬ１、Ｌ２のように変化させている。
かかる第８実施例によれば、多孔質材料からなる板状の内層材１１と硬質材料からなる支持体１との間に形成される空間層１３の長さを変化させることにより、該空間層１３を通過する音の吸収周波数（低周波数）を空間層１３の長さに対応した周波数となり、その結果、図１４の実線で示されるように、吸収周波数域を均一にすることができ、殊に低周波数域で吸収周波数の範囲を均一にかつ広げることが可能となる。
尚、前記長さをＬ１、Ｌ２のように変化させて設けられた空間層１３は、支持材を介して分割するように構成してもよい。
尚、前記第１実施例と同一の部材は同一の符号で示す。
【００３６】
本発明は前記各実施例に限られることなく、水中に設置される吸音壁等の、音を吸収する吸音構造体を水中に臨んで設け、該吸音構造体により水中を伝播される音を吸収するように構成された水中吸音装置全般に適用できる。
【産業上の利用可能性】
【００３７】
本発明によれば、小型かつ低コストの構造で以って、低周波音から高周波音まで広範囲の周波数域の音に対して高い吸音効果を有する吸音構造体をそなえて、殊に無響水槽（吸音水槽）に好適な水中吸音装置を提供できる。
【図面の簡単な説明】
【００３８】
【図１】本発明の第１実施例に係る吸音構造体の要部断面図（図９の部拡大図）である。
【図２】第２実施例を示す図１対応図である。
【図３】第３実施例を示す図１対応図である。
【図４】第４実施例を示す図１対応図である。
【図５】第５実施例を示す図１対応図である。
【図６】第６実施例を示す図１対応図である。
【図７】第７実施例を示す図１対応図である。
【図８】第８実施例を示す図１対応図である。
【図９】本発明の第１実施例に係る吸音構造体を備えた無響水槽（吸音水槽）の断面図である。
【図１０】（Ａ）、（Ｂ）は前記第１実施例における作用説明図である。
【図１１】前記第３実施例における作用説明図（その１）である。
【図１２】前記第３実施例における作用説明図（その２）である。
【図１３】（Ａ）、（Ｂ）、（Ｃ）、（Ｄ）は前記第４実施例における作用説明図である。
【図１４】前記第８実施例における作用説明図である。
【図１５】従来技術の第１例を示す図１対応図である。
【図１６】従来技術の第２例を示す図１対応図である。
【符号の説明】
【００３９】
１００    無響水槽
１０１    水室
１    支持体
２    支持部材
１０    吸音構造体
１１    内層材
１１ａ    内層材の内面
１１ｃ    歯
１１ｄ    溝
１２    外層材
１３    空間層
【図１】
2006017787.tif 000003
【図２】
2006017787.tif 000004
【図３】
2006017787.tif 000005
【図４】
2006017787.tif 000006
【図５】
2006017787.tif 000007
【図６】
2006017787.tif 000008
【図７】
2006017787.tif 000009
【図８】
2006017787.tif 000010
【図９】
2006017787.tif 000011
【図１０】
2006017787.tif 000012
【図１１】
2006017787.tif 000013
【図１２】
2006017787.tif 000014
【図１３】
2006017787.tif 000015
【図１４】
2006017787.tif 000016
【図１５】
2006017787.tif 000017
【図１６】
2006017787.tif 000018